(57)【要約】      （修正有）【課題】支持装置の構造によって花火管を上空に発射した後、異なる形状の花火の支持装置を形成する花火の支持装置を提供する。【解決手段】花火の支持装置２は、一支持主体２１を具え、その支持主体には物体表面上を置く底面２２，及び底面から上に伸びる支持面２３を設置し、且つその支持面は底面と非垂直の挟角を形成する。各花火管３は支持面に固定し、一傾斜角度を形成し、花火管を上空に発射すると、異なる形状の花火表現を形成する。【選択図】図２
0003135366.tif 000002
【実用新案登録請求の範囲】
【請求項１】
一支持主体を設置する花火の支持装置において、その支持主体は少なくとも一底面と、底面から上向きに伸び、そこに一花火管を固定設置し、そのうち底面と非垂直の挟角を形成する一支持面を含むことを特徴とする花火の支持装置。
【請求項２】
前記支持主体は、一管状体を形成し、その管状体は更に一最上面を含み、そのうち、その最上面及び底面は各々第一、二開口を形成し、且つその第一開口は第二開口より小さいことを特徴とする請求項１記載の花火の支持装置。
【請求項３】
前記支持主体は、一管状体を形成し、その管状体は更に一最上面を含み、そのうちその最上面及び底面は各々第一、二開口を形成し、且つその第一開口は第二開口より大きいことを特徴とする請求項１記載の花火の支持装置。
【請求項４】
前記第一、二開口は、その形状が円形、楕円形、多辺形もしくは異なる曲線で形成する封閉形状とすることを特徴とする請求項２もしくは３記載の花火の支持装置。
【請求項５】
前記花火管は、支持主体内側もしくは外側に固定設置し、一層もしくは一層以上の形式で取り囲むことを特徴とする請求項２もしくは３記載の花火の支持装置。
【請求項６】
前記花火管は、支持面に沿って縦向き延長方向に設置するか、もしくは一適度な角度に設置することを特徴とする請求項２もしくは３記載の花火の支持装置。
【請求項７】
前記花火管は、その底部がそれぞれ支持面と底面で形成した角度により、一特定角度を形成することを特徴とする請求項２もしくは３記載の花火の支持装置。
【請求項８】
前記花火管は、その外側を一包装材で覆うことを特徴とする請求項１記載の花火の支持装置。
【考案の詳細な説明】
【技術分野】
【０００１】
本考案は、花火の支持装置に関するもので、特に一種の火薬を充填する花火管を支持装置上に固定し、支持装置の構造によって花火管を上空に発射した後、異なる形状の花火の支持装置を形成するものである。
【背景技術】
【０００２】
従来の花火台の構造は、主に発射筒、基台と引火線を含んで構成され、これらの装置は公知技術である。例として下記に示すものは全て典型的な花火の従来構造である。
【０００３】
図１に示すのは、公知の花火台の構造立体図である。これは一基台１１上複数の花火管１２を垂直に配列設置し、各一相互に隣り合った花火管１２底部側辺には引火線１３を連接して配置し、更に各引火線１３が各花火管１２を整列した状態に連結する。連接した引火線１３は基台１１から伸びて出た後、一導火線１４を形成し、花火管１２点火に用いられる。そのため各花火管１２は内部に発射薬及び効果薬を含んで構成された花火１５を上空に発射すると、そのまま垂直に発射される。
【特許文献１】台湾実用新案登録第３４７０７４号「花火発射筒の封鎖口層構造」
【特許文献２】台湾実用新案登録第４１９０５６号「花火台」
【特許文献３】台湾実用新案登録第４９６５１５号「花火発射筒の構造改良」
【考案の開示】
【考案が解決しようとする課題】
【０００４】
解決しようとする問題点は、花火を上空に発射すると、そのまま垂直に発射されるため、空中に於いて放射線状の大きな範囲の花火効果を得ることができず、且つそれが空中で散発した時、各花火本体の花火効果が得られるだけで、更に美しい形状を形成することができない点である。
【課題を解決するための手段】
【０００５】
本考案は、一支持主体を具え、その支持主体には物体表面を置く底面，及び底面から上に伸びる支持面を設置し、且つその支持面は底面と非垂直の挟角を形成する。各花火管は支持面に固定し、一傾斜角度を形成し、花火管を上空に発射すると、異なる形状の花火表現を形成することを最も主要な特徴とする。
【考案の効果】
【０００６】
本考案の花火の支持装置は、支持装置の構造によって花火管を上空に発射した後、異なる形状の花火の支持装置を形成するという利点がある。
【考案を実施するための最良の形態】
【０００７】
一種の花火管を固定する支持装置を提供し、支持装置の構造によって花火管を上空に発射すると、異なる形状の花火表現を形成することを本考案の目的とする。
【０００８】
上述の目的を達成するため、本考案の花火の支持装置は一支持主体を具え、その支持主体には物体表面上を置く底面，及び底面から上に伸びる支持面を設置し、且つその支持面は底面と非垂直の挟角を形成する。各花火管は支持面に固定し、一傾斜角度を形成し、花火管を上空に発射すると、異なる形状の花火表現を形成する。
【実施例】
【０００９】
本考案「花火の支持装置」は、図２及び図３Ａに示すとおり、支持装置２は一支持主体２１を具え、その支持主体２１には物体表面上に置く底面２２、及び底面２２から上に伸びて花火管３を固定する支持面２３を設置する。更にその支持面２３は底面２２と共に非垂直の挟角を形成する。図に示す実施例に於いて、支持主体２１は一管状体で、その最上面２４及び底面２２は各々第一、二開口２４１、２２１を形成し、且つ第一開口２４１は第二開口２２１より大きく、その第一、二開口２４１、２２１の形状は円形でもよく、もちろん図４に示す多辺形、もしくは楕円形、異なる曲線が形成する封閉形状でもよい。もちろん、各花火管３底部は図３Aに示すとおり、支持面２３と底面が形成する角度が一特定角度でもよく、それは図３Bに示すとおりである。
【００１０】
各花火管３支持主体２１内側もしくは外側に固定設置する。図２に示すのは、内、外両側上に設置したものである(もしくは図５に示すとおり、支持主体２１の外側だけに設置する)。更に一層で取り囲む形式(もしくは図６に示すとおり多層で取り囲む形式)、且つ各花火管３が支持面２３にそって縦方向に伸びて設置し、引火線２５を連接する。並びに各引火線２５を各花火管２１に連結して一全体状態にし、再び各花火管２１外側には一包装材２６で覆い、図６に示すとおり、連接した引火線２５包装材２６から伸び出て一導火線２７を形成する。
【００１１】
使用者が導火線に火をつけると、各花火管は順に火がつき、各花火管内部の発射薬及び効果薬が上空に発射され、空中に於いて放射状態の大きな範囲の花火効果を形成する。図は図７に示す。
【００１２】
他に異なる開口の構造を使用し、異なる形状の花火表現を形成する。図８に示すのは、第一開口２４１が第二開口２２１より小さい。各花火管２１が発射されて上空に至ると、図９に示す花火表現を形成する。もしくは各花火管２１の設置形式を調整すると、異なる形状表現を形成する。図１０に示すのは花火管２１と支持面２３の縦向き延長方向が一適度な角度で設置され、各花火管２１が上空に発射されると、図１１に示すような旋回形状の花火表現を形成する。
【００１３】
上述に示すのは、本考案の良好な花火の支持装置であり、法に基づき新案登録を申請する。しかし、以上の実施説明及び図式は本考案の良好な実施例に過ぎず、本考案を制限するものではない。以って本考案の構造、装置、特徴等と近似、雷同するものはすべて本考案の申請範囲内とする。
【図面の簡単な説明】
【００１４】
【図１】習用花火置放座の構造立体図
【図２】本考案の第一実施例支持装置の構造立体図
【図３Ａ】本考案の第一実施例の構造指示図
【図３Ｂ】本考案の第一実施例の構造指示図
【図４】本考案の第二実施例支持装置の構造立体図
【図５】本考案の第三実施例支持装置の構造立体図
【図６】本考案の第四実施例構造立体の構造立体図
【図７】本考案の花火発射の状態指示図
【図８】本考案の第五実施例支持装置の構造立体図
【図９】本考案の花火発射の別の状態指示図
【図１０】本考案の第六実施例支持装置の構造立体図
【図１１】本考案の花火発射の更に別の状態指示図
【符号の説明】
【００１５】
１１          基台
１２          花火管
１３          引火線
１４          導火線
１５          花火
２            支持装置
２１          支持主体
２２          底面
２２１        第二開口
２３          支持面
２４          最上面
２４１        第一開口
２５          引火線
２６          包装材
２７          導火線
３            花火管
【図１】
0003135366.tif 000003
【図２】
0003135366.tif 000004
【図３Ａ】
0003135366.tif 000005
【図３Ｂ】
0003135366.tif 000006
【図４】
0003135366.tif 000007
【図５】
0003135366.tif 000008
【図６】
0003135366.tif 000009
【図７】
0003135366.tif 000010
【図８】
0003135366.tif 000011
【図９】
0003135366.tif 000012
【図１０】
0003135366.tif 000013
【図１１】
0003135366.tif 000014